(57)【特許請求の範囲】
【請求項１】
第１の無線アクセスノードに関して少なくとも１つの第１の隣接セルリストが定義される前記第１の無線アクセスノードを有する第１の無線アクセスネットワークと、第２の無線アクセスノードに関して少なくとも１つの第２の隣接セルリストが定義される前記第２の無線アクセスノードを有する第２の無線アクセスネットワークと、を含む遠隔通信アーキテクチャにおける隣接セルリストを更新するシステムであって、
少なくとも１つの前記第１の無線アクセスノードまたは前記第２の無線アクセスノードが、
前記第１の無線アクセスネットワークの第１の無線アクセスノードから、前記第２の無線アクセスネットワークの第２の無線アクセスノードに転送されるユーザ端末を検出するように構成された検出器と、
前記ユーザ端末の一部を選択するように構成された選択器と、
前記第１の無線アクセスネットワークおよび前記第２の無線アクセスネットワークの少なくとも一方の、複数の無線アクセスノードのセル情報を報告するように、前記第１の無線アクセスノードから１つ以上の選択されたユーザ端末に要求するように構成された要求生成器と、
前記１つ以上の選択されたユーザ端末からセル情報を受信するように構成された受信器と、
受信された前記セル情報を用いて、前記第１の隣接セルリストおよび前記第２の隣接セルリストの少なくとも一方を更新するように構成された更新手段と、
を含むシステム。
【請求項２】
前記要求生成器は、前記第１の無線アクセスネットワークの複数の無線アクセスノードのセル情報を報告するように、前記第１の無線アクセスノードから１つ以上の前記選択されたユーザ端末に要求するように構成され、
前記受信器は、前記第２の無線アクセスノードを介して前記第１の無線アクセスネットワークの無線ノードのセル情報を受信するように構成され、
前記システムは、前記第２の無線アクセスノードを介して前記第１の無線アクセスネットワークの複数の無線アクセスノードのセル情報を受信する前に、前記第１の無線アクセスネットワークから前記第２の無線アクセスネットワークにユーザ端末を転送するように構成された転送システムをさらに含む、
請求項１に記載のシステム。
【請求項３】
前記第１の無線アクセスノードに前記第１の無線アクセスネットワークの無線アクセスノードのセル情報を転送するためのデータ転送システムをさらに含む、請求項２に記載のシステム。
【請求項４】
前記要求生成器が、前記第２の無線アクセスネットワークの複数の無線アクセスノードのセル情報を報告するように、前記第１の無線アクセスノードから、前記１つ以上の選択されたユーザ端末に要求するように構成され、
前記受信器が、前記第２の無線アクセスノードを介して、前記第２の無線アクセスネットワークの無線ノードのセル情報を受信するように構成され、
前記システムが、前記第２の無線アクセスネットワークの複数の無線アクセスノードのセル情報を前記第２の無線アクセスノードを介して受信する前に、前記第１の無線アクセスネットワークから前記第２の無線アクセスネットワークにユーザ端末を転送するように構成された転送システムをさらに含む、
請求項１から３のいずれか一項に記載のシステム。
【請求項５】
前記第１の無線アクセスノードに前記第２の無線アクセスネットワークの無線アクセスノードのセル情報を転送するためのデータ転送システムをさらに含む、請求項４に記載のシステム。
【請求項６】
請求項１に記載のシステムであって、
前記要求生成器が、前記第２の無線アクセスネットワークの複数の無線アクセスノードのセル情報を報告するように、前記第１の無線アクセスノードから前記１つ以上の選択されたユーザ端末に要求するように構成され、
前記受信器が、前記第１の無線アクセスノードを介して前記第２の無線アクセスネットワークの無線アクセスノードのセル情報を受信するように構成され、
前記システムが、前記第１の無線アクセスノードを介して前記第２の無線アクセスネットワークの無線アクセスノードの１つ以上のセル情報を受信した後に、前記第１の無線アクセスネットワークから前記第２の無線アクセスネットワークにユーザ端末を転送するように構成された転送システムをさらに備える、
システム。
【請求項７】
前記システムが、前記１つ以上の検出されたユーザ端末から位置情報を受信するようにさらに構成され、前記位置情報が、前記検出されたユーザ端末の一部を選択するための選択パラメータとして用いられる、請求項１から６までのいずれか一項に記載のシステム。
【請求項８】
パイロット信号測定に関する１つ以上の閾値が、前記第１の無線アクセスネットワークと前記第２の無線アクセスネットワークの間でユーザ端末を転送するための遠隔通信システムにおいて定義され、前記閾値の少なくとも１つが、前記検出されたユーザ端末の前記一部を選択するための選択パラメータとして用いられる、請求項１から７までのいずれか一項に記載のシステム。
【請求項９】
第１の無線アクセスノードに関して少なくとも１つの第１の隣接セルリストが定義される前記第１の無線アクセスノードを有する第１の無線アクセスネットワークと、第２の無線アクセスノードに関して少なくとも１つの第２の隣接セルリストが定義される前記第２の無線アクセスノードを有する第２の無線アクセスネットワークと、を含む遠隔通信アーキテクチャにおいて、前記第１の隣接セルリストおよび前記第２の隣接セルリストの少なくとも一方を更新する方法であって、
少なくとも１つの前記第１の無線アクセスノードまたは前記第２の無線アクセスノードが、
前記第１の無線アクセスネットワークの前記第１の無線アクセスノードから前記第２の無線アクセスネットワークの前記第２の無線アクセスノードに転送されるべきユーザ端末を検出するステップと、
前記ユーザ端末の一部を選択するステップと、
前記第１の無線アクセスネットワークと前記第２の無線アクセスネットワークの少なくとも一方の複数の無線アクセスノードのセル情報を報告するように、前記第１の無線アクセスノードから１つ以上の選択されたユーザ端末に要求するステップと、
前記１つ以上の選択されたユーザ端末からセル情報を受信するステップと、
前記受信されたセル情報を用いて、前記第１の隣接セルリストおよび前記第２の隣接セルリストの少なくとも一方を更新するステップと、を実行すること
を含む方法。
【請求項１０】
前記第１の無線アクセスネットワークの複数の無線アクセスノードのセル情報を報告するように、前記第１の無線アクセスノードから前記１つ以上の選択されたユーザ端末に要求するステップと、
前記第２の無線アクセスノードを介して、前記第１の無線アクセスネットワークの前記無線ノードのセル情報を受信するステップと、
前記第２の無線アクセスノードを介して、前記第１の無線アクセスネットワークの複数の無線アクセスノードのセル情報を受信する前に、前記第１の無線アクセスネットワークから前記第２の無線アクセスネットワークに、前記選択されたユーザ端末を転送するステップと、
任意で、前記第１の無線アクセスノードに、前記第１の無線アクセスネットワークの無線アクセスノードのセル情報を転送するステップと、
を含む、請求項９に記載の方法。
【請求項１１】
前記第２の無線アクセスネットワークの複数の無線アクセスノードのセル情報を報告するように、前記第１の無線アクセスノードから前記１つ以上の選択されたユーザ端末に要求するステップと、
前記第２の無線アクセスノードを介して、前記第２の無線アクセスネットワークの前記無線ノードのセル情報を受信するステップと、
前記第２の無線アクセスノードを介して、前記第２の無線アクセスネットワークの複数の前記無線アクセスノードのセル情報を受信する前に、前記第１の無線アクセスネットワークから前記第２の無線アクセスネットワークにユーザ端末を転送するステップと、
任意で、前記第１の無線アクセスノードに、前記第２の無線アクセスネットワークの無線アクセスノードのセル情報を転送するステップと、
を含む、請求項９または１０に記載の方法。
【請求項１２】
前記第２の無線アクセスネットワークの複数の無線アクセスノードのセル情報を報告するように、前記第１の無線アクセスノードから前記１つ以上の選択されたユーザ端末に要求するステップと、
前記第１の無線アクセスノードを介して、前記第２の無線アクセスネットワークの前記無線アクセスノードのセル情報を受信するステップと、
前記第１の無線アクセスノードを介して、前記第２の無線アクセスネットワークの前記無線アクセスノードの１つ以上のセル情報を受信した後に、前記第１の無線アクセスネットワークから前記第２の無線アクセスネットワークにユーザ端末を転送するステップと、
を含む、請求項９に記載の方法。
【請求項１３】
少なくとも１つのプロセッサによって実行された場合に、請求項９から１２のいずれか一項に記載の方法を実施するように構成されたソフトウェアコード部分を含む、コンピュータプログラム。
【請求項１４】
請求項９から１１のいずれか一項に記載の方法における使用のために構成されたモバイルユーザ端末であって、使用の際に、前記第１の無線アクセスノードの隣接セルリストを含み、
前記第１の無線アクセスネットワークと前記第２の無線アクセスネットワークの少なくとも一方の、複数の無線アクセスノードのセル情報を報告する要求を受信する受信器と、
前記無線アクセスノードの少なくとも１つが前記隣接セルリスト内にはない、前記無線アクセスノードからセル情報を検出するスキャン手段と、
検出されたセル情報を送信する送信器と、を含み、
前記モバイルユーザ端末が、前記検出されたセル情報を一時的に記憶し、前記検出されたセル情報を、前記第１の無線アクセスネットワークから前記第２の無線アクセスネットワークに転送した後に、前記第２の無線アクセスノードに送信するように構成された、
モバイルユーザ端末。
【発明の詳細な説明】
【技術分野】
【０００１】
本発明は、遠隔通信アーキテクチャにおける遠隔通信システムおよび方法の分野に関する。より詳細には、本発明は、間でユーザ端末の転送が行われることができる少なくとも第１のおよび第２の無線アクセスネットワークを有する遠隔通信アーキテクチャと、そのような遠隔通信システムにおける方法に関し、第１のおよび／または第２の無線アクセスネットワークの少なくとも１つの無線アクセスノードの隣接セルリスト（ＮＣＬ）が、システムを用いて更新されることができる。
【背景技術】
【０００２】
無線アクセスセルラーネットワークのカバレッジエリアを通って移動する際、携帯用ユーザ端末は、どのセル（基地局）の圏内にあるかを決定するために、パイロットまたは基準信号（ビーコン）のスペクトルを連続してスキャンする。アイドルモード（ｉｄｌｅ  ｍｏｄｅ）では、これはセル再選択と呼ばれ、アクティブ／専用モードでは、これはハンドオーバーと呼ばれる。セルに特有の、セル再選択またはハンドオーバーのために考慮される周囲のセルのリストは、隣接セルリスト（ＮＣＬ）と呼ばれ、それは各基地局内に記憶されてセル内でブロードキャストされる。モバイルユーザ端末はＮＣＬを受信して記憶する。ＮＣＬはセルを含み、そのセルに関して、モバイルユーザ端末は（ある基準が満たされた場合に）、ユーザ端末を現在サービスしている基地局に測定報告を送信すべきである。
【０００３】
複数の協働する無線アクセスセルラーネットワークの場合には、各セルはイントラネットワークＮＣＬだけでなく、インターネットワークＮＣＬも有する。
【０００４】
ＮＣＬの最適化は従来は、経路損失予知および（オフライン）最適化アルゴリズムを用いて、オフラインの計画ツールの助けを借りて行われていた。現在は、イントラネットワークＮＣＬおよびインターネットワークＮＣＬの自動化された構成および最適化が、例えばユーザ端末からの現実の測定のフィードバック、観測された移動パターン、基地局のスキャンおよびハンドオーバー統計に基づいて、研究されつつある。
【０００５】
３ＧＰＰ  ＴＳ  ３６．３００、Ｖ８．９．０は、隣接関係を手動で管理することの負担からオペレータを解放する自動隣接関係化（ＡＮＲ）機能を開示する。そのようなＡＮＲ機能はＬＴＥネットワークのｅＮｏｄｅ−Ｂ（ｅＮＢ）にあり、概念的な隣接関係テーブル（ＮＲＴ）を管理する。隣接検出機能が、新しい隣接を発見してそれをＮＲＴに加えるために用いられ、一方で隣接除去機能が、期限が切れた隣接をＮＲＴから除去する。ｅＮＢはサービス中のセルからユーザ端末に、すべてのセルをスキャンすることによって他のネットワークの隣接セルを探すように指示する。ユーザ端末はまず、他のネットワーク内で検出されたセルの物理的セル識別子（ＰＣＩ）を報告する。ｅＮＢがセルのＰＣＩを含むユーザ端末から報告を受信するとき、ｅＮＢは、パラメータとして新しく発見されたセルを用いて、セルグローバル識別子（ＣＧＩ）およびさらなるセル情報を隣接セルから読み取るように、ユーザ端末に指示する。ユーザ端末はまた、サービス中のセルにこの情報を報告する。そしてｅＮＢは、ユーザ端末から報告された情報を用いてＮＲＴを更新することができる。
【先行技術文献】
【非特許文献】
【０００６】
【非特許文献１】３ＧＰＰ  ＴＳ  ３６．３００、Ｖ８．９．０
【発明の概要】
【課題を解決するための手段】
【０００７】
第１の無線アクセスノードに関して少なくとも１つの第１の隣接セルリストが定義される該第１の無線アクセスノードを有する第１の無線アクセスネットワークと、第２の無線アクセスノードに関して少なくとも１つの第２の隣接セルリストが定義される該第２の無線アクセスノードを有する第２の無線アクセスネットワークと、を含む遠隔通信アーキテクチャに関するシステムが開示される。
【０００８】
システムは、第１の無線アクセスネットワークの第１の無線アクセスノードから、第２の無線アクセスネットワークの第２の無線アクセスノードに転送されようとしているユーザ端末、すなわち、該ユーザ端末に関してセル再選択またはハンドオーバーが行われる予定のユーザ端末を検出するように構成された検出器を含む。
【０００９】
システムは、また、第１の無線アクセスネットワークと第２の無線アクセスネットワークの少なくとも一方の、複数の無線アクセスノードのセル情報を報告するように、第１の無線アクセスノードから１つ以上の検出されたユーザ端末に要求するように構成された要求生成器を備える。遠隔通信システム、特に第１の無線アクセスノードおよび第２の無線アクセスノードの少なくとも一方は、１つ以上の検出されたユーザ端末からセル情報を受信するように構成された受信器も含む。受信されたセル情報を用いて、第１の隣接セルリストおよび第２の隣接セルリストの少なくとも一方を更新するように構成された更新手段が提供される。
【００１０】
遠隔通信アーキテクチャにおける方法も開示される。第１の無線アクセスネットワークの第１の無線アクセスノードから、第２の無線アクセスネットワークの第２の無線アクセスノードに転送されようとしているユーザ端末が検出される。第１の無線アクセスノードから、１つ以上の検出されたユーザ端末が、第１の無線アクセスネットワークと第２の無線アクセスネットワークの少なくとも一方の複数の無線アクセスノードのセル情報を報告するように要求される。セル情報は１つ以上の検出されたユーザ端末から受信され、第１の隣接セルリストおよび第２の隣接セルリストの少なくとも一方は受信されたセル情報を用いて更新される。
【００１１】
さらに、第１の無線アクセスノードの少なくとも１つの隣接セルリストを含むモバイルユーザ端末が開示される。端末は、第１の無線アクセスネットワークと第２の無線アクセスネットワークの少なくとも一方の複数の無線アクセスノードのセル情報を報告する要求を受信する受信器を備える。モバイル端末は、無線アクセスノードからセル情報を検出するように構成されたスキャン手段と、検出されたセル情報を送信するための送信器も含み、該無線アクセスノードの少なくとも１つは隣接セルリスト内にはない。現在のところ、標準化は、モバイル端末がＮＣＬ内に存在していないセルを測定することを可能にしていない。しかしながら、そのような測定を実行することに関する本質的な障害はない。モバイル端末は、検出されたセル情報を一時的に記憶して、該検出されたセル情報を、第１の無線アクセスネットワークから第２の無線アクセスネットワークへ転送した後で第２の無線アクセスノードに送信するように構成される。
【００１２】
本出願においては、無線アクセスノードおよびセルという用語は同じ用語として用いられることに留意する。当業者は、単一の無線アクセスノードが複数のセルを提供してもよく、典型的には、隣接セルリストがそのようなノードのセルのそれぞれに定義されることを認める。
【００１３】
複数の無線アクセスノードのセル情報が要求される該複数の無線アクセスノードは、第１の無線アクセスノード、とりわけ、ユーザ端末に現在サービスしている該ノードのセルを除外してもよい。他方では、サービス中のセルに規則的に測定レポートを報告するようにユーザ端末に記憶された隣接セルリストにはないセルを、複数の無線アクセスノードが、典型的には含むかもしれない。そうでなければ、ユーザ端末によるセル情報の検出は、隣接セルリストがサービス中のセルから得られるため、このリストに制限され、存在するＮＣＬを確認するために適するのみで、リストに新しい隣接セルを追加することには適さないであろう。一実施形態では、ユーザ端末は、遠隔通信システムが第１の無線アクセスノードの周囲の利用可能なセルの完全な図を得ることを可能にするように、第１の無線アクセスネットワーク内のすべてのセル（場合によっては現在サービス中のセルを除く）および／または第２の無線アクセスネットワーク内のすべてのセルに関して完全なスキャンを実行する。そして、すべてのセルのスキャンを含むこの完全な情報はＮＣＬを更新するために用いられてもよい。代替として、ユーザ端末は受信された完全な情報を、第１の無線アクセスノードから得られたＮＣＬと比較し、現在のＮＣＬ上に存在しないセルのセル情報を報告するのみでもよい。
【００１４】
第１のおよび第２の無線アクセスネットワークは無線アクセステクノロジーにおいて異なってもよく（例えばＧＳＭとＵＭＴＳ、あるいはＵＭＴＳとＬＴＥ）、所与の無線アクセステクノロジーの展開されるリリース（ｒｅｌｅａｓｅ）において異なってもよく、用いられる周波数スペクトル（例えばＧＳＭにおいては９００ＭＨｚと１８００ＭＨｚ周波数帯（後者はＤＣＳネットワークとも呼ばれる）、ＵＭＴＳにおいては異なる５ＭＨｚ搬送波）において異なってもよく、および／または異なるモバイルオペレータの無線アクセスネットワークにおいて異なってもよい。無線アクセスネットワークは提供されるセルのタイプ、例えばマクロセルとピコセルにおいて異なってもよい。
【００１５】
開示されたシステムおよび方法は、第１の無線アクセスネットワークから第２の無線アクセスネットワークへのセルの再選択またはハンドオーバーが起ころうとしている領域内のユーザ端末への第１のおよび／または第２のネットワークに関するセル情報の要求に、特に向けることができる。セル再選択またはハンドオーバーの瞬間において特にこの情報を集めることによって、ＮＣＬの更新は、ユーザ端末がセル再選択またはハンドオーバー領域において体験する（ｅｘｐｅｒｉｅｎｃｅ）インターネットワーク隣接に本質的に基づき、該ユーザ端末の測定のレポートは、ＮＣＬを解釈することによく関連する。
【００１６】
いくつかの例では、ユーザ端末は領域を通って急速に動くこともあり、第２の無線アクセスネットワークへのセル再選択およびハンドオーバーはすばやく行われるべきである。そのような場合には、利用可能な時間は、第１の無線アクセスネットワークに関するセル情報を得るようにスキャンを実行して、第１の無線アクセスネットワークを介して無線通信システムに該セル情報を報告するためには不十分となりうる。請求項２および１０において定義された本発明の実施形態は、第１のおよび／または第２の無線アクセスネットワークに関するセル情報のスキャンを実行するようにモバイルユーザ端末が指示されるとすぐにセル再選択またはハンドオーバーを実行することによって、本方法を完成させるための追加の時間を提供する。モバイルユーザ端末におけるスキャンから得られたセル情報を一時的に記憶することによって、ユーザ端末はセル情報を第２のネットワークに搬送してもよく、そこでは、第１の無線アクセスネットワークの複数の無線アクセスノードのセル情報を第２のネットワークを介して報告するために十分な時間がある。
【００１７】
第１の無線アクセスネットワークの無線アクセスノードのセル情報が第１の無線アクセスノードの隣接セルリストを更新する、および／または、第２の無線アクセスノードの隣接セルリストを更新する、またはそれらのセルを更新するために用いられてもよい。
【００１８】
第２の無線アクセスノードの隣接セルリストの更新は、第２の無線アクセスノードから第１の無線アクセスネットワークへのユーザ端末のセル再選択またはハンドオーバー、すなわち、セル情報を報告する端末によって移動させられた方向とは逆方向へのセル再選択またはハンドオーバーに対応する。他のユーザ端末が第２の無線アクセスネットワークから第１の無線アクセスネットワークに転送されるであろうから、第１の無線アクセスノードの隣接セルリストはこのようにして更新されてもよい。
【００１９】
第２の無線アクセスノードを介して受信されたものとしての、第１の無線アクセスネットワークの複数のアクセスノードのセル情報は、例えば請求項３および選択として請求項１０に記載されたイントラネットワークの隣接セルリストを更新するために、第１の無線アクセスノードに転送されて戻されてもよい。特定の例において、この実施形態は、ここでは第１の無線アクセスネットワークである、ＵＭＴＳネットワークにおけるいわゆる「失われた隣接（ｍｉｓｓｉｎｇ  ｎｅｉｇｈｂｏｕｒ）」効果を取り除くように用いられることができる。ＵＭＴＳネットワークに接続するように備えつけられたユーザ端末では、収集するセル情報が、ユーザ端末に現在サービスしている基地局から受信された隣接セルリストにおいて定められたようなセル情報に制限される。ユーザ端末のこの制限の結果として、したがって、基地局の隣接セルリストにないセルは、ユーザ端末によって測定および報告されることは決してない。失われた隣接の信号があまりに強い場合、呼の喪失が起こることがある。本実施形態は、隣接セルリスト内に不在であるＵＭＴＳネットワークの無線アクセスノードのセル情報もスキャンし（したがって、可能であれば、基地局の隣接セルリスト内に存在しないセルがある旨を明らかにし）、第２の無線アクセスネットワークを介して第１の無線アクセスノードに戻ってこれを報告するように、ユーザ端末に指示することによって、この問題を取り除くことができる。そして第１の無線アクセスノードのＮＣＬは、失われた隣接セルによって更新されることができる。
【００２０】
ユーザ端末は、第２の無線アクセスネットワークの第２の無線アクセスノードへのセル再選択またはハンドオーバーの少し前に、該第２の無線アクセスネットワークの複数の無線アクセスノードのセル情報を得るように、そして、セル再選択またはハンドオーバーの後に、該セル情報をこの第２の無線アクセスノードを介して遠隔通信システムに報告するように指示されてもよい。この実施形態は請求項４および１１に記載される。
【００２１】
また、第２の無線アクセスネットワークの無線アクセスノードのセル情報は、第１の無線アクセスノードの隣接セルリストの更新、および／または第２の無線アクセスノードの隣接セルリストの更新のために用いられてもよい。第２の無線アクセスネットワークのアクセスノードに関して得られたセル情報は、上記のような第１の無線アクセスネットワークに関する、ＵＭＴＳなどの特定のタイプのネットワークにおいて発生する「失われた隣接」効果を考慮して、例えばイントラネットワークＮＣＬの更新のために、該第２の無線アクセスネットワーク自身に関連づけられてもよい。
【００２２】
第２の無線アクセスノードを介して受信された第２の無線アクセスネットワークの複数のアクセスノードのセル情報は、請求項５および選択として請求項１１に記載の第１の無線アクセスノードに戻るように転送されてもよい。その際に、ユーザ端末が第２の無線アクセスネットワークの複数の無線アクセスノードに関するセル情報を第１の無線アクセスノードに直接報告するために十分な時間を有しない場合でさえも、第１の無線アクセスノードは、セル再選択またはハンドオーバーの少し前に得られた受信セル情報を用いてその隣接セルリストを更新してもよい。更新されたＮＣＬは、他のユーザ端末のための、第１の無線アクセスノードから第２の無線アクセスネットワークへのセル再選択またはハンドオーバーに関連する。
【００２３】
もちろん、第２のネットワークの複数の無線アクセスノードのセル情報を報告するために十分な時間が利用可能な場合には、請求項６および１２の実施形態に記載されたように、第２の無線アクセスネットワークへのセル再選択またはハンドオーバーの少し前に得られたこのセル情報が、第１の無線アクセスノードに直接報告されてもよい。
【００２４】
すべてのハンドオーバーまたはセル再選択の場合において、ユーザ端末によるセル情報のスキャンが引き起こされる必要はない。例えば、ハンドオーバーおよび／またはセル再選択がそのような報告を引き起こすかどうかだけでなく、端末が特定のハンドオーバーまたはセル再選択例においてセル情報を送信するかどうかを決定する際に、（バイアスのかかった）コインを投げるために用いることができる可能性パラメータをもまた、無線アクセスノードは、そのブロードキャストチャンネル上に示してもよい。代替として、無線アクセスノードは、セル測定および報告を行うべきかどうかを、特定のユーザ端末に明確に送信してもよい。このようにして、セル情報報告の量を調整することができ、それはオーバーヘッド（信号負荷）測定結果と隣接セルリスト最適化の見込みの間のトレードオフに関係する。
【００２５】
セルリスト最適化トラフィックの量の調整の一実施形態は、請求項７に記載の選択基準として、ユーザ端末からの位置情報を用いることである。位置情報は、例えばユーザ端末内のＧＰＳモジュールから得られてもよく、第１のおよび／または第２の無線アクセスネットワークを用いた測定によって得られてもよい。この位置情報は、例えばどこにハンドオーバー領域が存在するかを識別する際に、および位置に特有の機能停止または問題、例えば「失われた隣接」による呼の喪失を解決する際に、有用でありうる。これは、オペレータが構成を変更する（ダウンリンク出力やアンテナの傾斜の最適化など）際、およびＲＡＴ間のセル変更またはハンドオーバーに関するセルにおける効果を測定しようと欲する際にも、役立つことがある。
【００２６】
どのユーザ端末がセル情報を報告すべきかを決定する、別の有利な選択基準は、請求項８に記載のような、遠隔通信システムのオペレータによって設定されていてもよい転送閾値である。転送閾値は、どのレベル（典型的にはパイロット信号測定に関与する）でセル再選択またはハンドオーバーを起こすかを決定する。第１の無線アクセスネットワークから第２の無線アクセスネットワークへのセル再選択またはハンドオーバーに関する転送閾値は、非対称（すなわち、第２の無線アクセスネットワークから第１の無線アクセスネットワークへの転送に関しては別の転送閾値Ｔｈ２が適用される）であってもよく、第１の無線アクセスノードに接続される際にユーザ端末によって受信されるサービスのサービスタイプに依存してもよい。例として、ＧＳＭネットワークにハンドオーバーされたＬＴＥネットワークのセルによる音声サービスを提供されたユーザ端末は、ＬＴＥネットワークに戻るようにハンドオーバーされないかもしれない。これは、オペレータがこの動作モードを選択したことが原因である。そのような場合には、このユーザ端末が、第２の無線アクセスネットワーク（ＧＳＭ）に転送されようとしている旨が検出されたユーザ端末であったとしても、第１の無線アクセスネットワーク（ＬＴＥネットワーク）の複数の無線アクセスノードのセル情報を報告するように要求された報告においては選択されない。というのは、第１のネットワーク（ＬＴＥネットワーク）に戻る方向でのハンドオーバーは一般的には行われないからである。一方では、ＬＴＥネットワークからＧＳＭネットワークに一時的にハンドオーバーされているデータサービスを用いたユーザ端末に関しては、ＬＴＥネットワークに戻るハンドオーバーは一般的に好まれ、そのようなユーザ端末は第２のネットワークの複数の無線アクセスノードのセル情報を報告するように選択されることができる。請求項８の遠隔通信システムの実施形態はまた、請求項１０〜１３に記載の遠隔通信システムにおける方法に用いられてもよい。
【００２７】
以下に、本発明の実施形態はさらに詳細に記載される。しかしながら、それらの実施形態は本発明の保護の範囲を限定するものと解釈されるべきではないと理解されるべきである。
【図面の簡単な説明】
【００２８】
【図１】本発明の一実施形態による、第１のおよび第２の無線アクセスネットワークを有し、各無線アクセスネットワークは複数の無線アクセスノードを有する、遠隔通信システムの概略図である。
【図２】本発明の一実施形態による方法を実行するように構成された、モバイルユーザ端末および無線アクセスノードの概略図である。
【図３Ａ】第１の無線アクセスネットワークの無線アクセスノードのセル情報が得られて、第２の無線アクセスネットワークを介して報告される、通信システムの概略図である。
【図３Ｂ】第１の無線アクセスネットワークの無線アクセスノードのセル情報が得られて、第２の無線アクセスネットワークを介して報告される、図３Ａに記載のシステムを動作させるフロー図である。
【図４Ａ】第２の無線アクセスネットワークの無線アクセスノードのセル情報が得られて、第１の無線アクセスネットワークを介して報告される、通信システムの概略図である。
【図４Ｂ】第２の無線アクセスネットワークの無線アクセスノードのセル情報が得られて、第１の無線アクセスネットワークを介して報告される、図４Ａに記載のシステムを動作させるフロー図である。
【発明を実施するための形態】
【００２９】
図１は第１の無線アクセスネットワークの第１の無線アクセスノード１Ａ〜１Ｃと、第２の無線ネットワークの第２の無線アクセスノード２Ａ〜２Ｄの概略図である。例として、第１の無線アクセスノード１Ａ〜１Ｃはロングタームエボリューション（ＬＴＥ）ネットワークのｅＮＢであり、第２の無線アクセスノード２Ａ〜２ＤはＵＭＴＳネットワークのＮｏｄｅＢである。他の例は、他の無線アクセステクノロジ（ＲＡＴ）、例えばＧＳＭおよびＵＭＴＳによって異なる無線アクセスネットワーク、所与の無線アクセステクノロジの展開されるリリースによる相違、用いられる周波数スペクトル（例えばＧＳＭにおける９００ＭＨｚと１８００ＭＨｚ周波数帯（後者はＤＣＳネットワークとも呼ばれる）、ＵＭＴＳでは異なる５ＭＨｚ搬送波）による相違、および／または異なるモバイルオペレータの無線アクセスネットワークによる相違を含む。無線アクセスネットワークはまた、例えばマクロセルおよびピコセルのような提供されたセルのタイプによって異なってもよい。
【００３０】
無線アクセスノード１Ａ〜１Ｃおよび２Ａ〜２Ｄは、図１に概略的に記載された制御システムによって制御されることができる。例として、制御システムは従来技術において一般的に知られている維持管理センタ（ＯＭＣ）であってもよい。無線アクセスネットワークのＯＭＣは相互接続されることができる。無線アクセスネットワークの間の別の接続が、同様に用いられることができる。第１および第２の無線アクセスネットワークの無線アクセスノードが同じベンダからのものである場合、単一のＯＭＣが用いられることができる。
【００３１】
無線アクセスノード１Ａ〜１Ｃおよび２Ａ〜２Ｄのそれぞれは、少なくとも１つの隣接セルリスト（ＮＣＬ）を含んでもよい。図１において、ＮＣＬ−１ＡおよびＮＣＬ−２Ａは対応する無線アクセスノードのＮＣＬとして示される。無線アクセスノードが複数のセルを供給する場合、典型的には各セルが対応するＮＣＬを有する。
【００３２】
無線アクセスノードはＮＣＬにブロードキャストし、そのようなセルの圏内にあるモバイルユーザ端末３はＮＣＬを受信して記憶する。ＮＣＬは典型的には、モバイル端末３に、どのセルを監視して、監視された各セルの受信された信号強度を時々報告すべきかを指示するために用いられ、したがって、ネットワークは、モバイル端末３が選択または別のセルにハンドオーバーされるべきか否かを決定することができる。
【００３３】
例として、モバイル端末３は現在接続されている無線アクセスノード１ＡからＮＣＬ−１Ａを受信する。ＮＣＬ−１Ａは隣接するアクセスノード１Ｂおよび１Ｃのセルを含み、モバイル端末３はこれらのセルの信号強度を監視し、それらを無線アクセスノード１Ａに報告する。そのようなＮＣＬ−１ＡはイントラネットワークＮＣＬと呼ばれる。ＮＣＬ−１Ａは第２の無線アクセスネットワークの隣接アクセスノード２Ａおよび２Ｂをリストに載せてもよく、その場合はＮＣＬ−１ＡはインターネットワークＮＣＬと呼ばれるであろう。ＮＣＬ−１Ａは複合ＮＣＬ、すなわち、イントラネットワークＮＣＬとインターネットワークＮＣＬの組み合わせであってもよい。現在、イントラネットワークＮＣＬおよびインターネットワークＮＣＬの自動化された構成および最適化は、例えば、３ＧＰＰ  ＴＳ  ３６．３００、Ｖ８．９．０に開示されたユーザ端末３からの実際の測定のフィードバックに基づいている。
【００３４】
図２も参照すると、実施形態はさらに詳細に記載され、そこではイントラネットワークＮＣＬ−１ＡはｅＮＢ  １Ｂおよび１Ｃのセルを含み、インターネットワークＮＣＬ−１ＡはＮｏｄｅＢ  ２Ａおよび２Ｂのセルを含む。インターネットワークＮＣＬ−１ＡはＮｏｄｅＢ  ２Ｃおよび２Ｄをまだ含まない点に留意する。
【００３５】
モバイルユーザ端末３は、検討されているセルにおいて転送されたイントラネットワークＮＣＬおよびインターネットワークＮＣＬに示されたように、ｅＮＢ  １Ａのセルの圏内にあるとされ、ｅＮＢ  １Ｂ、１ＣおよびＮｏｄｅＢ  ２Ａおよび２Ｂのセルを監視している。モバイルユーザ端末３は、従来技術において一般的に知られているように、ｅＮＢ  １Ａに測定報告を規則的に送信する。
【００３６】
図２に概略的に記載されているように、ｅＮＢ  １Ａは、モバイル端末３が第２の無線アクセスネットワークのＮｏｄｅＢ  ２Ａにセル再選択またはハンドオーバーを要求する旨を認識する、セル再選択／ハンドオーバー検出器１０を含む。セル再選択またはハンドオーバーの表示は、ｅＮＢ  １Ａにおける後続の連続する事象を引き起こす。
【００３７】
まず、セル再選択またはハンドオーバーの表示が受信されるモバイル端末３が、ＮＣＬ、例えばＮＣＬ−１ＡまたはＮＣＬ−２Ａなどの更新（正確さの認証を含む）のプロセスに加わるべきか、すなわち、選択されるべきか否かが決定されてもよい。この目的のために、ｅＮＢ  １Ａは、セル再選択またはハンドオーバーの表示が検出されるユーザ端末３の一部を選択するための選択モジュール１１を含む。このように、第１のおよび／または第２の無線アクセスネットワークを介して不要な信号を取り除くようにセル再選択またはハンドオーバーに関与するユーザ端末の適切な部分をフィルタリングすることが可能である。更新プロセスに加わるべきか否か、すなわち、ＮＣＬの更新を可能にする遠隔通信システムに情報を供給すべきか否かの判断は、モバイル端末または遠隔通信システム、特にｅＮＢ  １Ａのいずれにおいて行われてもよい。
【００３８】
一実施形態では、ｅＮＢ  １Ａは、ハンドオーバーおよび／またはセル再選択がそのような報告を引き起こすかだけでなく、特定のハンドオーバーまたはセル再選択の例において情報を送信すべきかを決定する際に端末３がバイアスのかかったコインをトスするために用いる可能性パラメータをもまた、そのブロードキャストチャネルに表示してもよい。代替として、ｅＮＢ  １Ａは、セル測定および報告を行うべきかどうか、特定のユーザ端末３に明示的に信号を送信してもよい。このように、セル情報報告の量は調整されることができ、それは測定オーバーヘッド（信号負荷）と隣接セルリスト最適化の可能性とのトレードオフに関する。
【００３９】
どのユーザ端末３がセル情報を報告すべきかを決定するための、ｅＮＢ  １Ａの側の有利な選択基準は、第１のおよび第２の無線アクセスネットワークの間の遠隔通信システムのオペレータによって設定されていてもよい転送閾値である。転送閾値は、どのレベル（典型的にはパイロット信号測定に関する）でセル再選択またはハンドオーバーを起こすかを決定する。第１の無線アクセスネットワークから第２の無線アクセスネットワークへのセル再選択またはハンドオーバーのための転送閾値Ｔｈ１は非対称であってもよく（すなわち、異なる転送閾値Ｔｈ２が、第２の無線アクセスネットワークから第１の無線アクセスネットワークへの転送に適用されてもよい）、第１の無線アクセスノードに接続された場合にユーザ端末によって享受されるサービスのタイプに依存してもよい。
【００４０】
図１において、ＵＭＴＳネットワークのＮｏｄｅＢ  ２Ａにハンドオーバーされようとしているデータサービスを用いるＬＴＥネットワークのｅＮＢ  １Ａのセルの圏内にあるユーザ端末３は、可能であれば、一般的に、ＬＴＥネットワークに戻るようにハンドオーバーされる。というのは、オペレータは、データサービスに関してＵＭＴＳネットワークからＬＴＥネットワークにユーザ端末３をハンドオーバーする際には低い閾値を適用するが、ユーザ端末をＵＭＴＳネットワークにハンドオーバーする際にはずっと高い閾値を適用するからである。そのような場合には、ネットワークの間のある方向の転送が他方の方向の転送よりも起こりやすいため、端末３は、以下にさらに詳細に記載されるように、ＮＣＬ更新プロセスにとって有用な情報を提供するように選択されてもよく、選択されなくてもよい。
【００４１】
ユーザ端末３の選択ステージは完全に省略されてもよく、例えば一日の特定の時間帯の最中、またはネットワークの構成および最適化の特定のステージの最中など、選択的に適用されてもよい。
【００４２】
ユーザ端末３がひとたび選択されると、図２に記載の要求生成器１２が起動され、ユーザ端末３に複数の無線アクセスノードのセル情報を報告するように、ユーザ端末３に要求する。
【００４３】
セル情報が要求された複数の無線アクセスノードは、ユーザ端末３を現在サービスしているｅＮＢ  １Ａのセルを除外してもよい。一方では、複数の無線アクセスノードは、サービス中のセルに測定レポートを定期的に報告するためのユーザ端末３に記憶された隣接セルリストＮＣＬ−１Ａに不在のセルを、一般的に含むであろう。図１の例において、要求されたセル情報は一般的に、ＮｏｄｅＢ  ２ＣまたはＮｏｄｅＢ  ２Ｄのセルの少なくとも一方のセル情報を含むであろう。言い換えれば、ユーザ端末３は、隣接セルリストＮＣＬ−１Ａに含まれるセルとは別のセルを少なくとも監視すべきである。
【００４４】
そのために、ユーザ端末３は、複数の無線アクセスノードのセル情報の報告の要求を受信する受信器２０（図２を参照）を含む。どのセルに関してセル情報が得られるべき、および／または報告されるべきかの実際の決定は、ｅＮＢ  １Ａ内で行われてもよく（そしてユーザ端末３へ信号で送信される）、および／またはユーザ端末３において内部的に行われてもよい。
【００４５】
例えばＮＣＬ−１Ａの更新が、追加のセルをリスト内に含めるべきかの決定のみを含むならば、セル情報はＮｏｄｅＢ  ２ＣおよびＮｏｄｅＢ  ２Ｄのセルに関してのみ得られてもよい。ＮＣＬ−１Ａは、そのような場合にＮＣＬの更新目的でのセル情報の収集においてどのセルが除外されるべきかを決定するように用いられてもよい。しかしながら、ＮＣＬ−２Ａが更新されるべき場合、ＮＣＬ−１Ａ内のリストに載せられたセルが必ずしも排除されるべきではない。
【００４６】
他方では、ＮＣＬの更新が、存在するＮＣＬを認証するためにも用いられる場合、存在するＮＣＬの１つ以上のセルに関するセル情報が、同様に収集されるべきである。特定の実施形態では、ユーザ端末３は、どのセルに関してＮＣＬ更新の目的でセル情報を収集すべきかを決定する決定モジュール２１を含む。述べたように、決定モジュール２１による決定は、無線アクセスノードｅＮＢ  １Ａから受信される指示に完全に基づいてもよく、記憶装置２２の一区画に記憶されたＮＣＬ−１Ａのコピーを用いる、ユーザ端末３の内部比較アルゴリズムに（部分的に）基づいてもよい。以下にさらに詳細に示されるように、記憶されたＮＣＬは、すべての利用可能なセルのセル情報（の一部）の検出後に適用されてもよい（スキャンモジュール２３と決定モジュール２１の間の矢印で示されている）。
【００４７】
ＮＣＬの更新を目的とするセル情報の収集は、ユーザ端末３に記憶されたＮＣＬと独立して実行されてもよい。そのような場合、ユーザ端末３は好ましくはすべての測定可能なセルのセル情報を好ましくは収集する。
【００４８】
測定はスキャンモジュール２３によって実行される。スキャンモジュール２３は、第１および／または第２の無線アクセスネットワークの無線アクセスノードの１つ以上のセルのセル情報を検出する。
【００４９】
ユーザ端末３は得られるセル情報ＣＩ、またはその派生情報を、記憶手段２２の一区間に記憶するように構成される。通常はＮＣＬ−１Ａはセル再選択またはハンドオーバーの後に記憶手段２２から消去されるが（新しいセルのＮＣＬを記憶するために）、セル情報は、送信器２４を用いて新しいセルを介して、遠隔通信システムにセル情報ＣＩを送信するように、セル再選択またはハンドオーバーの後に少なくとも特定の時間の間記憶されたままであってもよい。
【００５０】
ＮｏｄｅＢ  ２Ａのセルへのセル再選択またはハンドオーバーの後に、送信器２４は、ｅＮＢ  １Ａのセルの圏内にある間に得られたセル情報ＣＩを、ＮｏｄｅＢ  ２Ａの受信器１３に送信する。受信器１３は、セル情報ＣＩを用いるＮＣＬ−２Ａの更新（認証を含む）のために構成された更新手段１４に、セル情報を転送する。
【００５１】
十分な時間が利用可能な場合、ＮｏｄｅＢ  ２Ａへのセル再選択またはハンドオーバーに先駆けて、例えばＮＣＬ−１Ａを更新するように、モバイルユーザ端末３は第１の無線アクセスネットワーク、特にｅＮＢ  １Ａにセル情報ＣＩを送信してもよい。この送信は、ｅＮＢ  １Ａに向かう送信器２３からの破線矢印によって示される。
【００５２】
特定の例において、ユーザ端末が第２の無線アクセスネットワークにハンドオーバーされそうなときに、このネットワークのセル情報を得る要求が、要求生成器１２からユーザ端末３に送信される。まず、ユーザ端末３は、スキャン手段２３を用いて、可能な限り多くのＰＣＩ（物理的セル識別子）を検出する。例として、ノード２Ａ〜２ＤのセルのＰＣＩが検出される。ＰＣＩは一般的に、特定のチャンネル（ＵＭＴＳに関するパイロットチャンネル）上で送信される。記憶装置２２内に記憶されたＮＣＬ−１Ａと検出モジュール２１を用いて、ＮｏｄｅＢ  ２ＡとＮｏｄｅＢ  ２ＢのＰＣＩがさらなる処理から省かれる。というのは、それはＮＣＬ−１Ａにすでに存在するからである。そしてスキャン手段は、ＮｏｄｅＢ  ２ＣとＮｏｄｅＢ  ２ＤのＰＣＩによって識別される残りのセルのパイロットチャンネルの信号強度を検出する。ＮｏｄｅＢ  ２Ｄのセルの信号の強さがあまりに低いことが判明するかもしれず、そうなれば、決定モジュール２１はセルＮｏｄｅＢ  ２Ｄに関するさらなる処理もまた省略する。
【００５３】
次に、スキャン手段はＮｏｄｅＢ  ２ＣのセルをブロードキャストチャンネルＢＣＨに合わせて、このセルのＧＣＩＤ（グローバルセル識別子）を検出する。ＮｏｄｅＢ  ２Ａへのハンドオーバーが起こる前に十分な時間が利用可能な場合、ＧＣＩＤおよび（可能であれば）他の情報が、受信器１３によって受信されるｅＮＢ  １Ａに、送信器２４を用いてセル情報として送信される。更新手段１４は、図示されたように、無線アクセスノードＮｏｄｅＢ  ２Ｃを加えることによってＮＣＬ−１Ａをアップデートするように用いられてもよい。他の情報は、例えば、利用可能なセルのスキャンが実行されているときの、ＧＰＳモジュール２５を用いて得られたモバイル端末３の位置情報を含んでもよい。
【００５４】
しかしながら、ハンドオーバー前に、セル情報収集プロセスおよび現在サービス中のセルを介したセル情報の送信を完了させるためには時間が十分ではないことがある。その場合、ＮｏｄｅＢ  ２ＣのＧＣＩＤは記憶手段２２内のセル情報ＣＩとして記憶されてもよい。そして、ユーザ端末３はＮｏｄｅＢ  ２Ａにハンドオーバーされてもよく、セル情報ＣＩの送信は、送信器２４を用いてセル情報ＣＩをＮｏｄｅＢ  ２Ａの受信器１３に送信するように行われてもよい。
【００５５】
適切な隣接セルとしてＮｏｄｅＢ  ２Ｃの存在、すなわちＮｏｄｅＢ  ２Ｃのセルを公開するセル情報ＣＩが用いられ、ＮＣＬ−２Ａを更新し（ＮＣＬ−２Ａにおいて、ＮｏｄｅＢ  ２Ｃのセルは「失われた隣接」と呼ばれることがある。なぜならそれはＮＣＬ−２Ａ内に存在しなかったためである）、第１の無線アクセスネットワークと第２の無線アクセスネットワークの間でセル情報ＣＩまたはその派生情報を搬送する接続部を介してＮＣＬ−１Ａを更新する。この接続部は図２において破線矢印Ａで示され、例えば、図１に示されたＯＭＣ−２およびＯＭＣ−１を用いて実施されてもよい。
【００５６】
第２の無線アクセスネットワークのセル情報を得て報告することの代わりに、またはそれに加えて、モバイルユーザ端末３は第１の無線アクセス端末に関連づけられたセル情報を得てもよい。この例として図３Ａおよび図３Ｂが参照される。
【００５７】
インターネットワークＮＣＬの自動化された最適化を支援するために、図３Ａおよび図３Ｂに示された本発明の一実施形態において、アクティブな端末３は、ネットワークＡからネットワークＢへのハンドオーバーを行う少し前に、測定報告によって示されたネットワークＡ内に現れるパイロットチャンネル強度のスナップショットを得る。端末３はグローバルなスキャンを行い、それは現在のＮＣＬ上のセルのみを考慮することに限定せず、存在するＮＣＬにおいて選択の候補となる可能性のあるセルを識別する。ネットワークＢへのハンドオーバーがひとたび完了すると、ユーザ端末３はネットワークＢ内の新しくサービスを行うセルにこのスナップショットを報告する。ネットワークＢ内の新しくサービスを行うセルは、そのインターネットワークＮＣＬを定期的に最適化するために、他のハンドオーバーされた端末から得られた他の同様の報告とこの報告を組み合わせることができる。同様に、本来サービスを行うセルのイントラネットワークＮＣＬは、無線アクセスネットワークの間の接続を用いて、得られたセル情報をこのセルに利用可能にすることによって、更新されてもよい。
【００５８】
図４Ａおよび図４Ｂは、図２を参照してすでに述べられた実施形態の別の表現を提供する。アクティブな端末は、ネットワークＡからネットワークＢへのハンドオーバーを行う少し前に、ネットワークＢ内に現れるパイロットチャンネル強度のスナップショットを得て、それをネットワークＡ内の送信元セルに報告し（十分な時間が利用可能ならば）、そしてネットワークＢ内のターゲットセルへのハンドオーバーを受ける。上記の記載と同様に、今やネットワークＡ内の送信元セルは、それらの報告を用いてそのインターネットワークＮＣＬを自己最適化することができる。第２の実施形態の利点は、ＮＣＬが更新されるセルが移動の方向に合致していることである。言い換えれば、ネットワークＡ内の発信元セルからネットワークＢ内のターゲットセルへのユーザの移動は、発信元セルのＮＣＬを利用し、したがって、ハンドオーバーにおいて生成されたスナップショット情報は、発信元セルのＮＣＬを更新するように用いられることができる。この利点は、主としてセル間の移動が非対称である領域に関連する。これは、オペレータが１つ以上の特定のサービスを提供するために次々とネットワークを介することを好む場合に関連する。これは、移動が主に一方向に発生する場合（例えば、一方通行の道）にも関連する。
【００５９】
さらに、セル情報は記憶手段２２を用いて記憶され、無線アクセスネットワークＢを介して無線アクセスネットワークＡに送信されてもよい。また、ネットワークＢのセル情報は、このネットワークのセルのイントラネットワークＮＣＬを更新することに関連してもよい。
【００６０】
セル情報ＣＩ（例えば測定レポート）は周期的に、または必要性が認められた場合に、インターネットワークＮＣＬを再最適化するように各セル（アクセスノード）内で処理される。これはすべての報告されたグローバルセルＩＤを、相対的な報告回数および関連するパイロット出力強度の重みづけされた組み合わせに基づいて、ランク付けすることによって行われてもよい。このランク付けされたリストは実際のハンドオーバー統計と組み合わされてもよい。実際のハンドオーバー統計は、存在するインターネットワーク隣接関係が実際にどの程度用いられているかを示すからである。
【００６１】
一実施形態では、モバイルユーザ端末３の処理された報告のかなりの部分（すなわち、例えば報告された測定の３０％以上）が、現在のインターネットワークＮＣＬには含まれていない十分な品質のパイロット（ビーコン）を有するセルＩＤを示す。したがってこのセルＩＤはＮＣＬに加えられるべきである。
【００６２】
別の例は、処理されたＵＥ報告のわずかな部分（例えば１％未満）が、ＮＣＬにすでに含まれている十分な品質のパイロット（ビーコン）を有するセルＩＤを示す場合を含む。したがって、このセルＩＤはＮＣＬから取り除かれるべきである。加えて、リストに挙げられた、インターネットワークハンドオーバーがほとんど発生したことがない隣接が、ＮＣＬから削除される候補となってもよい。
【００６３】
ネットワークＡおよびネットワークＢにおけるセルの追加または削除は、ＵＥによって報告された十分な強度のパイロット（ビーコン）を有するセルＩＤのランキングに自動的に反映されてもよい。その結果として、これらのセルはＮＣＬに自動的に追加または削除され、手動の構成は一切不要である。
【００６４】
各ネットワークに関して個別にＮＣＬを最適化する代替案として、一実施形態では、各セル内で１つに統合されたＮＣＬが、同一のネットワーク内と他の（協働する）ネットワーク内の両方のセルを含み、同一のキャリア上と異なるキャリア上の両方において、自動的に最適化される。そのような統合されたリストの最適化は、ＮＣＬ内の可能性のある選択に関する（および場合によっては、可能性のあるハンドオーバーにさえ関する）ネットワークおよびキャリアのランキングを暗黙のうちに含んでもよいことに留意する。
【００６５】
本発明の一実施形態は、コンピュータシステムによって使用するためのプログラム製品として実装されてもよい。プログラム製品のプログラムは、実施形態（本明細書に記載された方法を含む）の機能を定義し、コンピュータ読み取り可能な様々な記憶媒体に収容されることができる。例示的なコンピュータ読み取り可能な記憶媒体には以下のようなものが挙げられるが、それらに限られない。（ｉ）情報が恒久的に記憶される、書き込み不能な記憶媒体（例えば、ＣＤ−ＲＯＭドライブによって読み取り可能なＣＤ−ＲＯＭディスク、フラッシュメモリ、ＲＯＭチップ、または任意のタイプのソリッドステートな不揮発性半導体メモリなどの、コンピュータ内の読み取り専用メモリ装置）、および（ｉｉ）変更できる情報が記憶される、書き込み可能な記憶媒体（例えば、ディスケットドライブ内のフロッピーディスクまたはハードディスクドライブまたは任意のタイプのソリッドステートなランダムアクセス半導体メモリ）。
【図１】
0005600176.tif 000002
【図２】
0005600176.tif 000003
【図３Ａ】
0005600176.tif 000004
【図３Ｂ】
0005600176.tif 000005
【図４Ａ】
0005600176.tif 000006
【図４Ｂ】
0005600176.tif 000007